(57)【要約】【課題】  本発明は魚釣用プライヤーに関し、一対の杆体間に入り込んだラインを誤って切断部で切断してしまうことのない魚釣用プライヤーを提供することを目的とする。【解決手段】  請求項１に係る発明は、一対の杆体が支軸を介して回動自在に取り付き、対向する杆体の先端側に挟持部が形成され、対向する杆体の支軸側に切断部が形成された魚釣用プライヤーに於て、上記挟持部と切断部の間に、少なくとも一方の杆体から他方の杆体に向かう突部を形成し、当該突部は、挟持部の所定幅までの開作動時に、挟持部から切断部までの杆体間の間隙を遮断することを特徴とする。  そして、請求項２に係る発明は、請求項１に記載の魚釣用プライヤーに於て、突部は、挟持部の閉作動状態から所定幅までの開作動時に亘って、他方の杆体の側面と交差していることを特徴とする。【選択図】    図１
2006262795.tif 000002
【特許請求の範囲】
【請求項１】
一対の杆体が支軸を介して回動自在に取り付き、対向する杆体の先端側に挟持部が形成され、対向する杆体の支軸側に切断部が形成された魚釣用プライヤーに於て、
上記挟持部と切断部の間に、少なくとも一方の杆体から他方の杆体に向かう突部を形成し、当該突部は、挟持部の所定幅までの開作動時に、挟持部から切断部までの杆体間の間隙を遮断することを特徴とする魚釣用プライヤー。
【請求項２】
突部は、挟持部の閉作動状態から所定幅までの開作動時に亘って、他方の杆体の側面と交差していることを特徴とする請求項１に記載の魚釣用プライヤー。
【請求項３】
突部は、挟持部の閉作動状態から所定幅までの開作動時に亘って、他方の杆体側に設けた孔内に挿入されていることを特徴とする請求項１に記載の魚釣用プライヤー。                                                                               
【発明の詳細な説明】
【技術分野】
【０００１】
本発明は、釣針の取り外しやオモリの脱着，ラインの切断等に使用する魚釣用プライヤーに関する。
【背景技術】
【０００２】
従来から、例えば釣れた魚の口から釣針を外したり、また、仕掛けを作ったりオモリを脱着したりラインを切断したりする際に、魚釣用プライヤー（以下、「プライヤー」という）が使用されている。
プライヤーは、ステンレス鋼等の金属材料からなる一対の杆体を支軸を介して回動自在に組み合わせたもので、対向する杆体の先端側に釣針等を挟む挟持部が形成され、対向する杆体の支軸側にライン等を切断する切断部が形成されている。そして、杆体の後部側（手元側）にハンドル部が形成されており、両ハンドル部の開閉操作で挟持部や切断部が開閉するようになっている。
【０００３】
また、特許文献１には、図８に示すように一方の杆体１の先端に、先鋭な割り込み用フック形突起３を内方へ突設してスナップリングの第１開き部５を形成すると共に、更に杆体１側に先鋭な割り込み用山形突起７を内方へ突設し、当該突起７と対向する他方の杆体９側に突起７の形状と一致する凹状の支承部１１を設けて、挟持部１３と切断部１５の間に第２開き部１７を設けた作業工具１９が提案されている。
【特許文献１】特許第３５０４５３４号公報
【発明の開示】
【発明が解決しようとする課題】
【０００４】
ところで、例えば釣りの最中に、掛かって暴れる魚の口から釣針をプライヤーを使って外す場合、プライヤー先端の挟持部で釣針を挟んで作業をするが、この作業時にラインが挟持部から切断部に通じる杆体間の間隙に入り込んで、誤ってラインを切断部で切断してしまうことがあった。
また、図８の作業工具１９は、挟持部１３と切断部１５の間の杆体１側に突起７を内方へ突設しているが、この作業工具１９にあっても、例えば先端側の挟持部１３で釣針を挟んだ際に、突起７が支承部１１から離間して同様に杆体１，９間に挟持部１３から切断部１５に通じる間隙が生じてしまうため、ラインがこの間隙に入り込んで切断部１５で切断してしまう虞がある。
【０００５】
本発明は斯かる実情に鑑み案出されたもので、一対の杆体間に入り込んだラインを誤って切断部で切断してしまうことのないプライヤーを提供することを目的とする。
【課題を解決するための手段】
【０００６】
斯かる目的を達成するため、請求項１に係る発明は、一対の杆体が支軸を介して回動自在に取り付き、対向する杆体の先端側に挟持部が形成され、対向する杆体の支軸側に切断部が形成されたプライヤーに於て、上記挟持部と切断部の間に、少なくとも一方の杆体から他方の杆体に向かう突部を形成し、当該突部は、挟持部の所定幅までの開作動時に、挟持部から切断部までの杆体間の間隙を遮断することを特徴とする。
【０００７】
そして、請求項２に係る発明は、請求項１に記載のプライヤーに於て、突部は、挟持部の閉作動状態から所定幅までの開作動時に亘って、他方の杆体の側面と交差していることを特徴とし、請求項３に係る発明は、請求項１に記載のプライヤーに於て、突部は、挟持部の閉作動状態から所定幅までの開作動時に亘って、他方の杆体側に設けた孔内に挿入されていることを特徴とする。
【発明の効果】
【０００８】
各請求項に係る発明によれば、例えば魚の口に刺さった釣針を挟もうと所定幅に亘って挟持部を開いた際に、突部が先端側の挟持部から切断部までの杆体間に生じる間隙を遮断するため、挟持部側から間隙に入り込んだラインが切断部に達することが防止され、この結果、誤って切断部でラインを切断してしまうことがない。
【発明を実施するための最良の形態】
【０００９】
以下、本発明の実施形態を図面に基づいて詳細に説明する。
図１乃至図３は請求項１及び請求項２の第一実施形態に係るプライヤーを示し、図１に於て、２１はステンレス鋼等の金属材料からなる一対の杆体２３，２５を、支軸２７を介して回動自在に組み合わせて形成されたプライヤーで、図３に示すように対向する杆体２３，２５の先端側の内面２３ａ，２５ａに、滑り止め用の凹凸が設けられた一対の挟持部２９，３１が形成され、対向する杆体２３，２５の支軸２７側の内面２３ａ，２５ａにライン等を切断する一対の切断部（刃）３３，３５が形成されている。
【００１０】
また、一対の杆体２３，２５の後部側（手元側）には、樹脂製のカバー３７が装着されたハンドル部３９，４１が形成されており、両ハンドル部３９，４１の開閉操作で挟持部２９，３１や切断部３３，３５が開閉するようになっている。
そして、図示するように本実施形態は、一方の杆体２３の挟持部２９と切断部３３の間の一側面４３に、他方の杆体２５に向かう側面視略矩形状のブロック状の突部４５を一体に形成したもので、図１及び図２に示すように突部４５は、挟持部２９，３１の閉作動状態から所定幅までの開作動時に杆体２５の一側面４７と交差して、斯かる所定幅までの開作動時に、挟持部２９，３１から切断部３３，３５までの杆体２３，２５（内面２３ａ，２５ａ）間の間隙４９をラインが横切って通過しないように遮断するようになっている。
【００１１】
尚、本願明細書に於て、「所定幅」とは、例えば魚の口に刺さった釣針を挟もうと僅かに挟持部２９，３１を開く際に、両挟持部２９，３１の間に形成される間隙の先端の幅をいい、一例として、挟持部２９，３１の閉作動状態から２．０ｍｍまでの幅をいう。
殆どの釣りで使用される釣針の軸の径は２．０ｍｍ以下（更に多くは１．０ｍｍ以下）であるため、挟持部２９，３１を２．０ｍｍ開けば釣針の挟持操作が可能になる。更に、仕掛け作りにプライヤーを使う場合、錘の直径は５．０ｍｍ以下（更に多くは４．０ｍｍ以下）であるため、これを考慮して「所定幅」を５．０ｍｍとするとより好ましい。
【００１２】
そして、図３に示すように切断部３３，３５でライン５１を切断する場合に、ハンドル部３９，４１を大きく開操作して挟持部２９，３１間を上記「所定幅」以上にすれば、杆体２３，２５が大きく開いて突部４５が杆体２５から離間するようになっており、少なくとも挟持部２９，３１を最大に開くまでには、突部４５による挟持部２９，３１間の間隙４９の遮断が解除される。
【００１３】
本実施形態に係るプライヤー２１はこのように構成されているから、例えば魚の口に刺さった釣針を挟もうと僅かに所定幅に亘って挟持部２９，３１を開いた際に、図２に示すように突部４５が杆体２５の一側面４７と交差して、挟持部２９，３１から切断部３３，３５までの杆体２３，２５（内面２３ａ，２５ａ）間に生じる間隙４９を遮断するため、挟持部２９，３１側から間隙４９に入り込んだライン５１が切断部３３，３５に達することがない。
【００１４】
このように本実施形態によれば、挟持部２９，３１での作業時に、挟持部２９，３１間から間隙４９に入り込んだライン５１が切断部３３，３５に達することがなくなるため、ライン５１を誤って切断部３３，３５で切断してしまうことがなくなった。
図４及び図５は請求項１及び請求項３の一実施形態に係るプライヤーを示し、図中、５３は前記杆体２３，２５と同一材料で形成された一対の杆体５５，５７を、支軸２７を介して回動自在に組み合わせて形成されたプライヤーで、前記プライヤー２１と同様、対向する杆体５５，５７の先端側の内面５５ａ，５７ａに一対の挟持部２９，３１が形成され、支軸２７側に切断部３３，３５が形成されている。
【００１５】
また、杆体５５，５７の後部側には、樹脂製のカバー３７が装着されたハンドル部３９，４１が形成されており、両ハンドル部３９，４１の開閉操作で挟持部２９，３１や切断部３３，３５が開閉するようになっている。
そして、図示するように本実施形態は、図１の突部４５に代え、一方の杆体５５の挟持部２９，切断部３３間の内面５５ａに、挟持部２９，３１の閉作動状態から所定幅までの開作動時に、他方の杆体５７の内面ａに設けた孔５９内に挿入される突部６１を杆体５７方向に突設したもので、図５及び図６に示すように突部６１は、挟持部２９，３１の閉作動状態から所定幅までの開作動時に孔５９内に挿入されて、挟持部２９，３１から切断部３３，３５までの杆体５５，５７（内面５５ａ，５７ａ）間に生じる間隙６３を遮断するようになっている。
【００１６】
また、図示しないが図３の実施形態と同様、切断部３３，３５でライン５１を切断するような場合にハンドル部３９，４１を大きく開操作すれば、杆体５５，５７が大きく開いて突部６１が杆体５７から大きく離間するようになっている。
本実施形態に係るプライヤー５３はこのように構成されているから、図１のプライヤー２１と同じく、魚の口に刺さった釣針を挟もうと僅かに所定幅に亘って挟持部２９，３１を開いた際に、図５の如く孔５９内に挿入された突部６１が、挟持部２９，３１から切断部３３，３５までの杆体５５，５７間に生じた間隙６３を遮断するため、挟持部２９，３１側から間隙６３に入り込んだラインが切断部３３，３５に達することがない。
【００１７】
このように本実施形態によっても、挟持部２９，３１での作業時に、挟持部２９，３１間から間隙６３に入り込んだラインが切断部３３，３５に達することがなくなるため、ラインを誤って切断部３３，３５で切断してしまうことがない利点を有する。
また、図６及び図７は請求項１及び請求項２の第二実施形態に係るプライヤーを示し、図中、６５は前記杆体２３，２５と同一材料で形成された一対の杆体６７，６９を、支軸２７を介して回動自在に組み合わせて形成されたプライヤーで、前記プライヤー２１と同様、対向する杆体６７，６９の先端側の内面６７ａ，６９ａに一対の挟持部２９，３１が形成され、支軸２７側に切断部３３，３５が形成されている。
【００１８】
また、杆体６７，６９の後部側には、樹脂製のカバー３７が装着されたハンドル部３９，４１が形成されており、両ハンドル部３９，４１の開閉操作で挟持部２９，３１や切断部３３，３５が開閉するようになっている。
そして、図７に示すように本実施形態は、一方の杆体６７の内面６７ａの一側側に、これと対向する杆体６９の内面６９ａ方向へ側面視略矩形状のブロック状の突部７１を突設し、他方の杆体６９の内面６９ａの一側側に、挟持部２９，３１の閉作動時に当該突部７１を杆体６９と面一に収納する段部（切欠き）７３を設けると共に、当該杆体６９の内面６９ａの他側側に、杆体６７の内面６７ａ方向へ突部７１と同一形状の突部７５を突設し、更にまた、杆体６７の内面６７ａ側に、挟持部２９，３１の閉作動時に当該突部７５を杆体６７と面一に収納する段部（切欠き）７７を形成して、当該部位に於ける両杆体６７，６９の断面形状を同じくしたものである。そして、斯かる構成により、挟持部２９，３１の閉作動状態から所定幅までの開作動時に、両突部７１，７５が交差して、斯かる所定幅までの開作動時に、挟持部２９，３１から切断部３３，３５までの杆体６７，６９間に生じる間隙７９を遮断するようにしたものである。
【００１９】
また、図示しないが本実施形態に於ても、切断部３３，３５でラインを切断するような場合にハンドル部３９，４１を大きく開操作すれば、杆体６７，６９が大きく開いて両突部７１，７５が大きく離間するようになっている。
本実施形態に係るプライヤー６５はこのように構成されており、本実施形態によっても、魚の口に刺さった釣針を挟もうと僅かに所定幅に亘って挟持部２９，３１を開いた際に、図７の如く両突部７１，７５が交差して挟持部２９，３１から切断部３３，３５までの杆体６７，６９間に生じる間隙７９を遮断するため、挟持部２９，３１側から間隙７９に入り込んだラインが切断部３３，３５に達することがない。
【００２０】
従って、本実施形態によっても、既述した各実施形態と同様、所期の目的を達成することが可能で、挟持部２９，３１での作業時に、ラインを誤って切断部３３，３５で切断してしまうことがない。
尚、上述した各実施形態では挟持部２９，３１に滑り止め用の凹凸を設けているが、これに限らず平面状に形成してもよい。また、切断部３３，３５は一対の刃を有しているが、これに限らず一方のみに刃を有するものでもよい。
【図面の簡単な説明】
【００２１】
【図１】請求項１及び請求項２の第一実施形態に係るプライヤーの平面図である。
【図２】図１のII−II線断面図である。
【図３】挟持部を開いた図１のプライヤーの要部拡大斜視図である。
【図４】請求項１及び請求項３の一実施形態に係るプライヤーの平面図である。
【図５】図４のV−V線断面図である。
【図６】請求項１及び請求項２の第二実施形態に係るプライヤーの平面図である。
【図７】図６のVII−VII線断面図である。
【図８】従来の作業工具の要部拡大斜視図である。
【符号の説明】
【００２２】
２１，５３，６５  プライヤー
２３，２５，５５，５７，６７，６９  杆体
２７  支軸
２９，３１  挟持部
３３，３５  切断部
３９，４１  ハンドル部
４３，４７  一側面
４５，６１，７１，７５  突部
４９，６３，７９  間隙
５１  ライン
５９  孔
７３，７７  段部                                                                               
【図１】
2006262795.tif 000003
【図２】
2006262795.tif 000004
【図３】
2006262795.tif 000005
【図４】
2006262795.tif 000006
【図５】
2006262795.tif 000007
【図６】
2006262795.tif 000008
【図７】
2006262795.tif 000009
【図８】
2006262795.tif 000010